(57)【要約】【課題】  上記従来のデジタルカメラは、持ち運びに際してデジタルカメラとは別の部材を携帯する必要があった。【解決手段】  投影部３を露出させる位置に保護カバー６をスライドした際に、筐体１ａから保護カバー６の端部６ｂをはみ出させ、はみ出たこの端部６ｂを、投影部３から投じられる投影光の投影方向に対して傾斜自在に構成する。このため、筐体１ａからはみ出た保護カバー６の端部６ｂによって筐体１ａを台１０上に支持し、投影光の投影方向に対して所望の角度に保護カバー６の端部６ｂを傾斜させることにより、デジタルカメラ１の角度を台１０上で所望の角度に調節して投影することができる。従って、デジタルカメラ１の持ち運びに際して、従来のようにデジタルカメラ１とは別の部材を携帯する必要がなくなる。【選択図】  図３
2011123227.tif 000002
【特許請求の範囲】
【請求項１】
筐体の一面に設けられた投影光を投じる投影部と、
前記投影部を覆う位置と前記投影部を露出させる位置との間で前記筐体の前記一面に沿ってスライド自在に設けられ、前記投影部を露出させる位置にスライドした際に前記筐体からはみ出る端部が前記投影部から投じられる投影光の投影方向に対して傾斜自在に構成されたカバーと
を備えた携帯型電子機器。
【請求項２】
請求項１に記載の携帯型電子機器において、
被写体光を前記筐体内に取り込む撮影部を前記筐体の前記一面に備え、
前記投影部および前記撮影部は、前記カバーによって同時に覆われる相互間距離で前記筐体の前記一面に設けられ、
前記カバーは、前記撮影部を覆う位置と前記撮影部を露出させる位置との間で前記筐体の前記一面に沿ってスライド自在に設けられていることを特徴とする携帯型電子機器。
【請求項３】
請求項２に記載の携帯型電子機器において、
前記カバーは、一方にスライドさせられると前記投影部を露出させ、他方にスライドさせられると前記撮影部を露出させることを特徴とする携帯型電子機器。
【請求項４】
請求項３に記載の携帯型電子機器において、
前記カバーは、一方にスライドさせられて前記投影部を露出させると前記端部が前記筐体からはみ出し、他方にスライドさせられて前記撮影部を露出させる場合には前記筐体からはみ出ないことを特徴とする携帯型電子機器。
【請求項５】
請求項１から請求項４のいずれか１項に記載の携帯型電子機器において、
前記カバーは、前記投影部を露出させて前記端部が前記筐体からはみ出ない位置と、前記投影部を露出させて前記端部が前記筐体からはみ出る位置とにスライド自在に構成されていることを特徴とする携帯型電子機器。
【発明の詳細な説明】
【技術分野】
【０００１】
本発明は、筐体の一面に投影光を投じる投影部が設けられた携帯型電子機器に関するものである。
【背景技術】
【０００２】
従来、この種の携帯型電子機器としては、例えば、特許文献１に開示された、クレイドルの載置部に載置されるデジタルカメラがある。クレイドルの載置部は、その基台部と回動ヒンジで回動可能に連結されている。デジタルカメラをテーブル上で傾斜させて撮影などを行う場合、クレイドルの載置部を基台部に対して回動させることにより、デジタルカメラの傾斜角度が調節される。
【先行技術文献】
【特許文献】
【０００３】
【特許文献１】特開平２００５−８６５００号公報
【発明の概要】
【発明が解決しようとする課題】
【０００４】
しかしながら、上記従来のデジタルカメラは、テーブル上で傾斜させて使用する場合に、デジタルカメラとは別の部材であるクレイドルを必要とする。このため、上記従来のデジタルカメラは、持ち運びに際してデジタルカメラとは別の部材を携帯する必要があった。
【課題を解決するための手段】
【０００５】
本発明は、このような課題を解決するためになされたもので、
筐体の一面に設けられた投影光を投じる投影部と、
投影部を覆う位置と投影部を露出させる位置との間で筐体の一面に沿ってスライド自在に設けられ、投影部を露出させる位置にスライドした際に筐体からはみ出る端部が投影部から投じられる投影光の投影方向に対して傾斜自在に構成されたカバーと
を備えて、携帯型電子機器を構成した。
【０００６】
また、本発明は、被写体光を筐体内に取り込む撮影部を筐体の一面に備え、
投影部および撮影部が、カバーによって同時に覆われる相互間距離で筐体の一面に設けられ、
カバーが、撮影部を覆う位置と撮影部を露出させる位置との間で筐体の一面に沿ってスライド自在に設けられていることを特徴とする。
【０００７】
また、本発明は、カバーが、一方にスライドさせられると投影部を露出させ、他方にスライドさせられると撮影部を露出させることを特徴とする。
【０００８】
また、本発明は、カバーが、一方にスライドさせられて投影部を露出させると端部が筐体からはみ出し、他方にスライドさせられて撮影部を露出させる場合には筐体からはみ出ないことを特徴とする。
【０００９】
また、本発明は、カバーが、投影部を露出させて端部が筐体からはみ出ない位置と、投影部を露出させて端部が筐体からはみ出る位置とにスライド自在に構成されていることを特徴とする。
【発明の効果】
【００１０】
本発明によれば、電子機器の持ち運びに際して、従来のように電子機器とは別の部材を携帯する必要がなくなる。また、カバーの一部である端部を用いて電子機器を傾斜させるため、電子機器の部品点数が増えずにすみ、また、電子機器の外観に悪影響を与えることもない。
【図面の簡単な説明】
【００１１】
【図１】（ａ）は、本発明の一実施形態によるデジタルカメラの、保護カバーをスライドさせていない状態の正面図、（ｂ）は、保護カバーを左方へスライドさせた状態の正面図、（ｃ）は、保護カバーを右方へスライドさせた状態の正面図である。
【図２】図１に示すデジタルカメラの保護カバーが有する端部回動機構の構造を示した図である。
【図３】（ａ）は、図１（ｃ）に示すデジタルカメラの斜視図、（ｂ）は、保護カバーの端部を回動させた斜視図である。
【図４】図３（ｂ）に示すデジタルカメラの側面図である。
【図５】（ａ）は、図１に示すデジタルカメラの変形例による、保護カバーをスライドさせていない状態の正面図、（ｂ）は、保護カバーを右方へ一段階スライドさせた状態の正面図、（ｃ）は、保護カバーを右方へスライドさせ切った状態の正面図である。
【発明を実施するための形態】
【００１２】
次に、本発明による電子機器をデジタルカメラに適用した場合における、本発明を実施するための一形態について説明する。
【００１３】
図１は、この一実施形態によるデジタルカメラ１の正面図である。デジタルカメラ１の筐体１ａの上面には、レリーズボタン２が設けられている。レリーズボタン２は、半押しされるとオートフォーカス（ＡＦ）機能を作動させ、全押しされると予め設定されたシャッター速度でシャッターを開かせ、被写体像を撮像素子に所定時間露光させて被写体像の撮像を行わせる。また、デジタルカメラ１の正面の筐体１ａの一面には、投影光をデジタルカメラ１の前方に投じる投影部（プロジェクター部）３と、デジタルカメラ１の前方からの被写体光を筐体１ａ内に取り込む撮影部４とが設けられている。また、撮影部４の上方には、暗所での撮影で被写体を照明する発光部５が設けられている。
【００１４】
投影部３および撮影部４は、保護カバー６によって同時に覆われる相互間距離で筐体１ａの一面に設けられており、投影部３および撮影部４ならびに発光部５は、デジタルカメラ１が使用されていない状態において、同図（ａ）に示すように一枚の保護カバー６によって同時に覆われる。保護カバー６は、筐体１ａの一面に沿って図の左右方向にスライド自在に設けられており、同図（ｂ）に示すように左方にスライドさせられると、撮影部４および発光部５を露出させて投影部３を覆う。また、同図（ｃ）に示すように右方にスライドさせられると、投影部３を露出させて撮影部４および発光部５を覆う。保護カバー６は、カバー本体６ａと端部６ｂとから構成されており、右方にスライドさせられて投影部３を露出させると、端部６ｂが筐体１ａからはみ出す。左方にスライドさせられて撮影部４を露出させる場合には、同図（ｂ）に示すように、保護カバー６は筐体１ａからはみ出ない。
【００１５】
また、同図には図示していないが、保護カバー６の裏面とデジタルカメラ１の正面とが摺動する面には、一方の面にボール状の突起が突出方向に付勢されて備えられ、他方の面にこのボール状の突起が嵌合する窪みが備えられている。これら突起と窪みとにより、保護カバー６の各スライド位置が一時的に保持される。この突起と窪みとの嵌合状態は、保護カバー６がいずれかの方向にスライドさせられると解除される。
【００１６】
カバー本体６ａと端部６ｂとは、図２に一例を示す構造の端部回動機構７によって連結されている。端部回動機構７は、カバー本体６ａの右下端部に設けられた同図（ａ）の一部拡大斜視図に示す支持部７ａと、端部６ｂの左下端部に設けられた同図（ｂ）の一部拡大斜視図に示す回動部７ｂとから構成されている。支持部７ａには円柱状の支持軸８ａが形成され、この支持軸８ａにはその外周囲に沿って凸部９ａが突出している。また、回動部７ｂには、支持軸８ａが挿入される円筒状の挿入孔８ｂ、および回動部７ｂの一部分を切り欠いて形成された切欠き部９ｂが設けられている。切欠き部９ｂは、支持軸８ａが挿入孔８ｂに挿入された状態において凸部９ａと嵌合する。
【００１７】
図３（ａ）は、図１（ｃ）に示す状態のデジタルカメラ１の斜視図、図３（ｂ）は、保護カバー６の端部６ｂを反時計方向に回動させて傾斜させた状態のデジタルカメラ１の斜視図である。なお、同図において図１と同一部分には同一符号を付してその説明は省略する。
【００１８】
投影部３が投じる投影光の投影光軸と、撮影部４が筐体１ａ内に取り込む被写体光の撮影光軸とは、共にデジタルカメラ１の正面に垂直な図示する前後方向を向いている。
【００１９】
端部６ｂが同図（ａ）に示すようにカバー本体６ａと一面になって、デジタルカメラ１の図示する上下方向を向いている状態のときには、端部回動機構７の横断面図は図２（ｃ）に示される。この状態では、凸部９ａと回動部７ｂとが図示するように当接する。この状態から、切欠き部９ｂが凸部９ａに沿いながら、端部６ｂが支持軸８ａを中心にして上方向が前方向に向かう反時計方向に回動することにより、凸部９ａと回動部７ｂとは図２（ｄ）に示す端部回動機構７の横断面図に示すように当接する。また、支持部７ａと回動部７ｂとの間には図示しないラッチ機構が設けられており、このラッチ機構により、端部６ｂの回動部７ｂは、図２（ｃ）の状態から図２（ｄ）の状態までの間の複数の所定の回動位置に、保持される。投影部３を露出させる位置にスライドした際に筐体１ａからはみ出る端部６ｂは、このように、投影部３による投影光の投影方向である前後方向に対して傾斜自在に構成されている。
【００２０】
このような状態のデジタルカメラ１は、図４に示すように、台１０の上に載置される。なお、同図において図３と同一部分には同一符号を付してその説明は省略する。端部６は、デジタルカメラ１が台１０上に載置される場合に、デジタルカメラ１を載置面に対して傾斜させて載置するための脚として使用される。傾斜した状態に台１０の上に載置されたデジタルカメラ１は、その投影部３から図示するように投影光を投じる。
【００２１】
このような本実施形態によるデジタルカメラ１によれば、投影部３を露出させる位置に保護カバー６を図１（ｃ）に示すように右方にスライドした際に、筐体１ａから保護カバー６の端部６ｂがはみ出、はみ出るこの端部６ｂは、投影部３から投じられる投影光の投影方向に対して自在に傾斜される。このため、筐体１ａからはみ出た保護カバー６の端部６ｂによって筐体１ａを図４に示すように台１０上に支持し、投影光の投影方向に対して所望の角度に保護カバー６の端部６ｂを傾斜させることにより、デジタルカメラ１の角度を台１０上で所望の角度に調節して投影することができる。従って、デジタルカメラ１の持ち運びに際して、従来のようにデジタルカメラ１とは別のクレイドルのような部材を携帯する必要がなくなる。また、デジタルカメラ１を台１０や机などの上に置いて画像を投影する場合に、投影される画像の下方がデジタルカメラ１の前方の台１０や机などで遮られることなく投影される。また、保護カバー６の一部である端部６ｂを用いてデジタルカメラ１を傾斜させるため、デジタルカメラ１の構成部品点数が増えずにすみ、また、デジタルカメラ１の外観に悪影響を与えることもない。
【００２２】
また、本実施形態によるデジタルカメラ１によれば、撮影部４も保護カバー６によって覆われるため、投影部３と撮影部４とを一つの保護カバー６で覆うことができ、別途、撮影部４を覆う部品を設けずにすむ。従って、デジタルカメラ１の製造コストの低減が図れる。
【００２３】
また、本実施形態によるデジタルカメラ１によれば、保護カバー６が、一方の右方にスライドさせられると図１（ｃ）に示すように投影部３を露出させて撮影部４を覆い、他方の左方にスライドさせられると図１（ｂ）に示すように撮影部４を露出させて投影部３を覆うことにより、投影部３または撮影部４の一方が使用される場合には、使用されない他方の未使用部が保護カバー６によって保護される。従って、投影部３または撮影部４の使用時に、未使用部に使用者が触れて未使用部が汚れたり、未使用部に物が当たって未使用部が故障する虞などを無くすことができる。
【００２４】
また、本実施形態によるデジタルカメラ１によれば、投影部３の使用時に保護カバー６が右方にスライドさせられて投影部３が露出されると、図１（ｃ）に示すように保護カバー６の端部６ｂが筐体１ａからはみ出して端部６ｂの使用が可能になる。また、撮影部４の使用時に保護カバー６が左方にスライドさせられて撮影部４が露出される場合には、図１（ｂ）に示すように保護カバー６は筐体１ａからはみ出ない。このため、撮影部４を使用して撮影を行う際に、保護カバー６が筐体１ａからはみ出して、保護カバー６によって撮影操作が妨げられることはない。
【００２５】
また、本実施形態によるデジタルカメラ１によれば、投影部３が投じる投影光の投影光軸、および撮影部４が筐体１ａ内に撮り込む被写体光の撮影光軸が、共にデジタルカメラ１の正面に対して垂直な前後方向を向いている。このため、手持ちで投影または撮影するとき、デジタルカメラ１を向けた方向に対して投影または撮影が行え、投影操作または撮影操作が直感的に行い易くなる。
【００２６】
なお、上記実施形態では、端部６ｂの回動位置をラッチ機構によって調節する構成について説明したが、本発明はこれに限られることはない。例えば、挿入孔８ｂに対して支持軸８ａをきつめに挿入し、支持軸８ａと挿入孔８ｂとの間にデジタルカメラ１の荷重に耐えうる摩擦力を発生させ、端部６ｂを任意の位置で保持固定する構成にしてもよい。この構成によれば、端部６ｂを筐体１ａに対して任意の角度で保持させることができる。
【００２７】
また、上記実施形態では、保護カバー６を単に右方にスライドさせて端部６ｂを筐体１ａからはみ出させる場合について説明したが、本発明はこれに限られることはない。例えば、図５の正面図に示す、デジタルカメラ１の変形例のような構成で、保護カバー６をスライドさせてもよい。なお、同図において図１と同一の部分には同一の符号を付してその説明は省略する。
【００２８】
同図（ａ）に示すように、デジタルカメラ１が使用されていない状態においては、図１（ａ）と同様に、筐体１ａの一面に設けられた投影部３および撮影部４ならびに発光部５が、一枚の保護カバー６によって同時に覆われている。この変形例では、保護カバー６は、投影部３を露出させて端部６ｂが筐体１ａからはみ出ない同図（ｂ）に示す位置と、投影部３を露出させて端部６ｂが筐体１ａからはみ出る同図（ｃ）に示す位置とにスライド自在に構成されている。すなわち、保護カバー６は、同図（ｂ）に示すように右方にスライドさせられると、投影部３を露出させて撮影部４および発光部５を覆う。保護カバー６は、端部６ｂが筐体１ａからはみ出ないこの位置に、保護カバー６の裏面に設けられた図示しない窪みに筐体１ａ側に設けられた図示しないバネなどで付勢されたボールが嵌合することにより、保持される。このボールと窪みの嵌合は、保護カバー６をスライドさせる力が加わると解除される。そして、この位置から保護カバー６が同図（ｃ）に示すようにさらに右方にスライドさせられると、投影部３を露出させて撮影部４および発光部５を覆いながら、端部６ｂが筐体１ａからはみ出る。
【００２９】
この構成によれば、投影部３を露出させて投影部３を使用する時、保護カバー６は、端部６ｂが筐体１ａからはみ出ない位置と、筐体１ａからはみ出る位置とに自在にスライドされる。このため、デジタルカメラ１を手に持った状態で投影を行う場合、保護カバー６をその端部６ｂが筐体１ａからはみ出ない同図（ｂ）に示す位置にスライドさせることで、端部６ｂが同図（ｃ）に示すように筐体１ａからはみ出て端部６ｂによって投影操作が妨げられることなく、投影を行える。
【産業上の利用可能性】
【００３０】
上記の実施形態においては、本発明による携帯型電子機器を投影部と撮影部とを備えたデジタルカメラに適用した場合について説明したが、投影部だけを備えた携帯式のプロジェクターなどの電子機器に本発明を適用することも可能である。このような携帯型電子機器に本発明を適用した場合においても、上記の実施形態と同様の作用・効果が奏される。
【符号の説明】
【００３１】
１…デジタルカメラ
１ａ…筐体
３…投影部
４…撮影部
６…保護カバー
６ａ…カバー本体
６ｂ…端部
７…端部回動機構
７ａ…支持部
７ｂ…回動部
８ａ…支持軸
８ｂ…挿入孔
９ａ…凸部
９ｂ…切欠き部
１０…台
【図１】
2011123227.tif 000003
【図２】
2011123227.tif 000004
【図３】
2011123227.tif 000005
【図４】
2011123227.tif 000006
【図５】
2011123227.tif 000007